(57)【特許請求の範囲】
【請求項１】
検知装置の近傍を通過する事により警報を鳴らす事のできる防犯用コイルを備えたビデオテープ用防犯ケースにおいて、
該ビデオテープ用防犯ケースは、ビデオテープを納める内ケースと、該内ケースが装着される外ケースとから成り、
前記内ケースは、箱形状に形成され、天板に係合孔が形成されると共にレール部材が形成され、
前記外ケースは、上部と、該上部の一端側から垂下する垂下部とからなると共に、一方の側面がＬ字状に形成され、
前記上部には、ロック装置が設けられており、
前記上部及び垂下部は、各々断面コ字状を呈して、該コ字状の対向する両端部が立ち上り突起をなすと共に、他方の側面には、三角形状の側面部が形成され、該側面部の内側に前記防犯用コイルが取り付けられており、
前記上部の立ち上がり突起には、前記内ケースのレール部材と係合するレール部材を有し、
前記外ケースに備えられた前記ロック装置を施錠操作する事により、ロック装置から内側に突出した閂部材が前記係合孔に挿入して、前記内ケースが前記外ケースに装着された状態がロックされることを特徴とするビデオテープ用防犯ケース。
【請求項２】
検知装置の近傍を通過する事により警報を鳴らす事のできる防犯用コイルを備えたビデオテープ用防犯ケースにおいて、
該ビデオテープ用防犯ケースは、ビデオテープを納める内ケースと、該内ケースが装着される外ケースとから成り、
前記内ケースは、箱形状に形成され、天板に係合孔が形成されており、
前記外ケースは、上部と、該上部の一端側から下方に延設された側部と、該側部の下端から横方向に延設された底部とからなると共に、一方の側面がコ字状に形成され、
前記上部には、ロック装置が設けられており、
前記上部、側部及び底部は、各々断面コ字状を呈して、該コ字状の対向する両端部が立ち上り突起をなすと共に、他方の側面には、三角形状の側面部が形成され、該側面部の内側に前記防犯用コイルが取り付けられており、
前記外ケースに備えられた前記ロック装置を施錠操作する事により、ロック装置から内側に突出した閂部材が前記係合孔に挿入して、前記内ケースが前記外ケースに装着された状態がロックされることを特徴とするビデオテープ用防犯ケース。
【請求項３】
検知装置の近傍を通過する事により警報を鳴らす事のできる防犯用コイルを備えたビデオテープ用防犯ケースにおいて、
該ビデオテープ用防犯ケースは、ビデオテープを納める内ケースと、該内ケースが装着される外ケースとから成り、
前記内ケースは、箱形状に形成され、正面板に係合孔が形成されると共に内ケースレール部材が配設され、
前記外ケースは、上部と、該上部の一端側から垂下する垂下部とからなると共に、一方の側面がＬ字状に形成され、他方の側面には三角形状の側面部が形成され、
前記上部は、下面側に凹み部が形成され、該凹み部に前記防犯用コイルが取り付けられており、
前記垂下部には、ロック装置が設けられると共に、前記内ケースレール部材と係合するレール部材が配設され、
前記外ケースに備えられた前記ロック装置を施錠操作する事により、ロック装置から内側に突出した閂部材が前記係合孔に挿入して、前記内ケースが前記外ケースに装着された状態がロックされることを特徴とするビデオテープ用防犯ケース。
【請求項４】
前記ロック装置は、所定位置の両側に段部を有する出没可能な閂部材と該閂部材の両側に配設した着磁性金属板よりなる係止片とからなり、該係止片と没入した前記閂部材の段部とが係合することによりロック状態が維持されることを特徴とする請求項１、２又は３に記載のビデオテープ用防犯ケース。
【発明の詳細な説明】
【０００１】
【発明の属する技術分野】
本発明は、映画やテレビ番組などの録画済みビデオテープをビデオショップやレンタルショップなどで陳列して販売又は貸出する場合に、ビデオテープを不正に持ち出されないようにするために使用される、ビデオテープ用防犯ケースに関するものである。
【０００２】
【従来の技術】
従来、ビデオショップやレンタルショップなどにおいては、録画済みビデオテープなどの商品を店内から不正に持ち出されないように（即ち、万引き防止のために）、ビデオテープなどの商品に防犯タグを取り付けていた。
この防犯タグは、店の出入り口に予め設置しておいた防犯センサー（検知装置）を磁気的或いは電気的に反応させるためのものであり、防犯タグが付いている商品が店の出入り口を通過したときには、防犯センサーが警戒音を発する仕組みになっているのである。
【０００３】
しかしながら、商品に防犯ダグを直接取り付けておくと、それを引き剥がされたり切り取られたりすることがあった。
そこで、防犯タグを備えたプレートを錠と一体的に構成し、この錠をビデオカセットに形成された取り付け穴に装着固定（ロック）しておき、販売するときにカウンターで鍵を用いてロックを解除してビデオテープを購入者（お客）に渡していた。
【０００４】
【発明が解決しようとする課題】
ところが、上述の防犯タグを備えたプレートは、シリンダー錠やタンブラー錠を用いてロックしているので、購入者（お客）の面前で鍵を使っていちいち解錠操作をする必要があり、その操作は煩雑で能率が悪く、大量の商品を迅速に解錠するには不便であるという問題点を有している。
【０００５】
従って、従来例における場合においては、ビデオテープの取り出しをスムーズに行えるようにして、大量の商品を迅速に処理することに解決しなければならない課題を有している。
【０００６】
【課題を解決するための手段】
前記従来例の課題を解決する具体的手段として本発明は、検知装置の近傍を通過する事により警報を鳴らす事のできる防犯用コイルを備えたビデオテープ用防犯ケースにおいて、該ビデオテープ用防犯ケースは、ビデオテープを納める内ケースと、該内ケースが装着される外ケースとから成り、前記内ケースは、箱形状に形成され、天板に係合孔が形成されると共にレール部材が形成され、前記外ケースは、上部と、該上部の一端側から垂下する垂下部とからなると共に、一方の側面がＬ字状に形成され、前記上部には、ロック装置が設けられており、前記上部及び垂下部は、各々断面コ字状を呈して、該コ字状の対向する両端部が立ち上り突起をなすと共に、他方の側面には、三角形状の側面部が形成され、該側面部の内側に前記防犯用コイルが取り付けられており、前記上部の立ち上がり突起には、前記内ケースのレール部材と係合するレール部材を有し、前記外ケースに備えられた前記ロック装置を施錠操作する事により、ロック装置から内側に突出した閂部材が前記係合孔に挿入して、前記内ケースが前記外ケースに装着された状態がロックされることを特徴とするビデオテープ用防犯ケースを提供するものである。
【０００７】
また、本発明は、検知装置の近傍を通過する事により警報を鳴らす事のできる防犯用コイルを備えたビデオテープ用防犯ケースにおいて、該ビデオテープ用防犯ケースは、ビデオテープを納める内ケースと、該内ケースが装着される外ケースとから成り、前記内ケースは、箱形状に形成され、天板に係合孔が形成されており、前記外ケースは、上部と、該上部の一端側から下方に延設された側部と、該側部の下端から横方向に延設された底部とからなると共に、一方の側面がコ字状に形成され、前記上部には、ロック装置が設けられており、前記上部、側部及び底部は、各々断面コ字状を呈して、該コ字状の対向する両端部が立ち上り突起をなすと共に、他方の側面には、三角形状の側面部が形成され、該側面部の内側に前記防犯用コイルが取り付けられており、前記外ケースに備えられた前記ロック装置を施錠操作する事により、ロック装置から内側に突出した閂部材が前記係合孔に挿入して、前記内ケースが前記外ケースに装着された状態がロックされることを特徴とするビデオテープ用防犯ケースを提供するものである。
【０００８】
更に、本発明は、検知装置の近傍を通過する事により警報を鳴らす事のできる防犯用コイルを備えたビデオテープ用防犯ケースにおいて、該ビデオテープ用防犯ケースは、ビデオテープを納める内ケースと、該内ケースが装着される外ケースとから成り、前記内ケースは、箱形状に形成され、正面板に係合孔が形成されると共に内ケースレール部材が配設され、前記外ケースは、上部と、該上部の一端側から垂下する垂下部とからなると共に、一方の側面がＬ字状に形成され、他方の側面には三角形状の側面部が形成され、前記上部は、下面側に凹み部が形成され、該凹み部に前記防犯用コイルが取り付けられており、前記垂下部には、ロック装置が設けられると共に、前記内ケースレール部材と係合するレール部材が配設され、前記外ケースに備えられた前記ロック装置を施錠操作する事により、ロック装置から内側に突出した閂部材が前記係合孔に挿入して、前記内ケースが前記外ケースに装着された状態がロックされることを特徴とするビデオテープ用防犯ケースを提供するものである。
【０００９】
前記ロック装置は、所定位置の両側に段部を有する出没可能な閂部材と該閂部材の両側に配設した着磁性金属板よりなる係止片とからなり、該係止片と没入した前記閂部材の段部とが係合することによりロック状態が維持される構成としたものである。
【００１０】
本発明のビデオテープ用防犯ケースにおいては、施錠（ロック）及び解錠操作が容易であり大量の商品を迅速に処理することができると共に、防犯性に優れている。
【００１１】
【発明の実施の形態】
次に、本発明の実施の形態について図面を参照しながら説明する。まず、図１及び図２に示した第１実施例において、符号１０はビデオテープ用防犯ケースを示し、このビデオテープ用防犯ケース１０は、ビデオテープを収納する内ケース１１と、この内ケース１１を装着する共に防犯用コイル１２を有した外ケース１３とから構成される。
【００１２】
外ケース１３は、プラスチックなどの合成樹脂材で一体に形成されており、上部１３ａと、この上部１３ａの一端側から垂下する垂下部１３ｂとからなり、一方の側面が図１に示すように略Ｌ字状を呈している。
また、上部１３ａ及び垂下部１３ｂは、各々断面が略コ字状を呈して、このコ字状の対向する両端部が立ち上り突起をなすと共に、他方の側面側には、略三角形状の側面部１３ｃが形成されており、この側面部１３ｃの内側に防犯用コイル１２が取り付けられているのである。
【００１３】
また、前記上部１３ａの頂部には、ロック装置１４が設けられており、このロック装置１４は、出没可能に摺動する閂部材１６を有し、この閂部材１６のロック装置１４から外部に突出する部分を釦部１５として、この釦部１５を押すことによって後述するロック操作が可能である。
また、所定位置に段部１６ａを有する閂部材１６の両側には、着磁性金属板よりなる係止片１７が配置されており、この係止片１７と下方に移動した閂部材１６の段部１６ａとが係合することにより、閂部材１６が固定されて、これによってロック装置１４のロック状態が維持される。
【００１４】
また、外ケース１３は、内ケース１１と係合するためのレール部材１８、１８を内側の上部両壁面に各々有している。
レール部材１８、１８は、左右一対に平行配設されており、このレール部材１８、１８に対して、内ケース１１の後述するレール部材２３、２３を挿入することにより外ケース１３と内ケース１１とを係着することができる。
【００１５】
内ケース１１は、プラスチックなどの合成樹脂材で一体に形成されており、内ケース１１を閉じた状態では、全体的に箱形状を呈している。
また、内ケース１１を開いた状態では、図４に示すように、２個のケース部材１９、１９を有し、一方のケース部材１９の長辺がヒンジ２０を介して背部２２と一体的に形成されており、また、背部２２は、ヒンジ２１を介して他方のケース部材１９と一体的に形成されている。即ち、ケース部材１９、１９同士は、ヒンジ部２０、２１を介して背部２２に各々折曲がり自在に一体的に形成されているのである。
【００１６】
ケース部材１９は、長方形の側板１９ａと正面板１９ｂと天板１９ｃと底板１９ｄとから構成されている。
また、ケース部材１９、１９の各天板１９ｃ、１９ｃには、断面逆Ｌ字（或いはＴ字状）のレール部材２３、２３が長手方向に沿った位置に各々一体に形成されている。
そして、内ケース１１を閉じた状態における各天板１９ｃ、１９ｃの合わせ目となる所定位置には、前記閂部材１６の挿入される係合孔２４、２４が各々形成されている。
係合孔２４、２４は、各々対応する位置に形成されており、２個のケース部材１９、１９を合わせることにより、即ち内ケース１１を閉じることにより、一個の孔となる。
【００１７】
また、ケース部材１９の一方の正面板１９ｂには、係合凹部２５が２個所に形成されており、他方の正面板１９ｂには、係合片２６が前記係合凹部２５に対応する位置に設けられている。そして、内ケース１１を閉じたときに、係合片２６の先端凸部を係合凹部２５に係合させることによりロックできるのである。
【００１８】
次に、以上のように構成されたビデオテープ用防犯ケース１０の使用方法について説明する。
まず、図４に示すように内ケース１１を開いてケース部材１９内にビデオテープ（図示せず）を収納してから、内ケース１１を閉じて、係合片２６の先端凸部を係合凹部２５に係合させる。
そして、ビデオテープを収納した内ケース１１を背部２２が外側になるようにして、外ケース１３に装着する。
【００１９】
装着に際しては、外ケース１３のレール部材１８、１８に沿って内ケース１１のレール部材２３、２３が係合するように挿入する。
内ケース１１が外ケース１３の奥まで装着されたら、ロック装置１４の釦部１５を押してロックする。釦部１５を押すと、閂部材１６が突出して、内ケース１１の係合孔２４に挿入される（図２参照）。これによって、内ケース１１は外ケース１３とロックされ抜けなくなる。防犯用コイル１２は、装着された内ケース１１によって覆われることとなるので、外部から外すことはできない。
【００２０】
解錠する場合は、磁石を所要間隔に配設した所定の解除具（図示せず）にロック装置１４を下にして載置する。ロック装置１４は、解除具の凹部に挿入され、両側から係止片１７を吸磁し、閂部材１６の段部１６ａとの係合状態を解除して、閂部材１６を落下させる。これによって、閂部材１６が係合孔２４から抜けて、ロック装置１４を解除することができる。
【００２１】
次に、図５から図８に本発明の第２実施例に係るビデオテープ用防犯ケースを示す。この第２実施例において、前記第１実施例と同一部分には同一符号を付してその詳細は省略する。
まず、図５は外ケース３８を示し、この外ケース３８は、前記第１実施例の場合と同様にプラスチックなどの合成樹脂材で一体に形成されており、上部３８ａと、この上部３８ａの一端側から下方に延設された側部３８ｂと、この側部３８ｂの下端から横方向に延設された底部３８ｃからなり、一方の側面が略コ字状を呈している。
【００２２】
上部３８ａ、側部３８ｂ及び底部３８ｃは、いずれも断面が略コ字状を呈して、このコ字状の対向する両端部に立ち上り突起３９をなしている。
また、他方の側面には、略三角形状の側面部３９ａが形成されており、この側面部３９ａの内側に防犯用コイル１２が取り付けられているのである。
このように構成された外ケース３８は、装着された内ケースを三方向の端面を当接するので、後述する図６から図８に示す内ケースに最適である。
【００２３】
また、上部３８ａには、ロック装置１４が設けられており、このロック装置１４は、前記第１の実施例の外ケース１３と同様に構成されている。即ち、出没可能な閂部材１６と一体となった釦部１５を有しており、また、突出した閂部材１６が段部で係止片により固定されることも同様であり、これによってロック装置１４の施錠状態が維持される。
【００２４】
図６は、外ケース３８に装着する内ケース２７を示し、この内ケース２７は、ビデオテープが収納できる箱形状を呈し、側面には開口部２７ａが形成されている。
また、開口部２７ａの両端側には、切欠き部２８が形成されており、この切欠き部２８の存在によって挿入したビデオテープの取り出しを容易にしている。
そして、内ケース２７の頂部には、係合孔２９が形成されており、外ケース３８に配設されたロック装置１４の閂部材１６が挿入される。
【００２５】
図７は、外ケース３８に装着する内ケース３０を示し、この内ケース３０は、ビデオテープが収納できる箱形状を呈し、上面には開口部３１が形成されており、この開口部３１からビデオテープを挿入して収納する。
また、開口部３１の両端側には、切欠き部３１ａが形成されており、この切欠き部３１ａの存在によって挿入したビデオテープの取り出しを容易にしている。
【００２６】
図８は、外ケース３８に装着する内ケース３２を示し、この内ケース３２は閉じた状態では、全体的に箱形状を呈している。
また、内ケース３２を開いた状態では、２個のケース部材３３、３３を有し、一方のケース部材３３の短辺側がヒンジ３５を介して底板３４と一体的に形成されており、また、底板３４は、ヒンジ３６を介して他方のケース部材３３と一体的に形成されている。即ち、ケース部材３３、３３同士は、ヒンジ部３５、３６を介して底板３４に各々折曲がり自在に一体的に形成されているのである。
【００２７】
ケース部材３３は、側板３３ｄと正面板３３ａと背面板３３ｂと天板３３ｃとから構成されている。
また、ケース部材３３、３３を閉じた状態における各天板３３ｃの合わせ目となる所定位置には、前記閂部材１６の挿入される係合孔３７、３７が各々形成されている。
係合孔３７、３７は、各々対応する位置に形成されており、２個のケース部材３３、３３を合わせることにより、即ち内ケース３２を閉じることにより、一個の孔となる。
【００２８】
このように構成された内ケース３２は、内部にビデオテープを収納した後、図５に示す外ケース３８に装着される。装着後、ロック装置１４の釦部１５を押して閂部材１６を内部に突出させ、係合孔３７に係合して内ケース３２の移動をロックする。
【００２９】
また、解錠する場合、第１の実施例と同様に磁石を所要間隔に配設した所定の解除具（図示せず）にロック装置１４を下にして載置する。ロック装置１４は、解除具の凹部に挿入され、両側から係止片１７を吸磁し、閂部材１６の段部１６ａとの係合状態を解除して、閂部材１６を落下させる。これによって、閂部材１６が係合孔２４から抜けて、ロック装置１４を解除することができる。
【００３０】
次に、図９から図１７に本発明の第３実施例に係るビデオテープ用防犯ケース４０を示す。この第２実施例において、前記第１実施例と同一部分には同一符号を付してその詳細は省略する。
このビデオテープ用防犯ケース４０は、前記第１及び第２実施例と同様に、ビデオテープを収納する内ケース４１と、この内ケース４１を装着する共に防犯用コイル１２を有した外ケース４３とから構成される。
【００３１】
図１０から図１３に示す外ケース４３は、プラスチックなどの合成樹脂材で一体に形成されており、上部４３ａと、この上部４３ａの一端側から垂下する垂下部４３ｂとからなり、一方の側面は図１０及び図１１に示すように略Ｌ字状を呈している。
また、他方の側面には略三角形状の側面部４３ｃが形成されており、この側面部４３ｃの存在によって外ケース４３の補強が図られていると共に、装着された内ケース４１の保持状態を確実にしている。
【００３２】
上部４３ａは、下面側に凹み部４４が形成されており、この凹み部４４に薄型の防犯用コイル１２が取り付けられている。
また、凹み部４４の両側における所定位置には、凸部４５、４５が一体に形成されており、この凸部４５、４５を後述する内ケース４１の嵌合孔５９に挿入して該内ケース４１の保持状態を維持する。
更に、上部４３ａの他端側における下面側には、挿入片４６が一体に形成されており、この挿入片４６を後述する内ケース４１の嵌合長孔６０に挿入して該内ケース４１の保持状態を維持する。
【００３３】
垂下部４３ｂの上部の所定位置には、前記第１及び第２実施例と同様に、ロック装置１４が設けられており、このロック装置１４は、出没可能に摺動する閂部材１６を有し、この閂部材１６の釦部１５を押すことによってロック操作が可能である。
尚、図１１中符号１７は、前記第１及び第２実施例と同様に、閂部材１６の両側に配置された着磁性金属板よりなる係止片を示す。
【００３４】
垂下部４３ｂの略中央位置には、段差部４７が形成されており、この段差部４７の内側両端部には下端に渡ってＬ字状のレール部４８、４８材が一体に設けられている（図１２及び図１３参照）。
このレール部材４８、４８に対して、後述する内ケース４１のレール部材（内ケースレール部材）６４、６４を挿入することにより、外ケース４３に内ケース４１を係着するのである。
尚、図中４３ｄは、前記側面部４３ｃから下側に延設されたガイド部を示し、このガイド部４３ｄの存在によって、外ケース４３への内ケース４１の装着をスムーズにガイドできるのである。
【００３５】
図１４から図１７に示す内ケース４１は、透明又は半透明のプラスチックなどの合成樹脂材で一体に形成されている。従って、内部に収納したビデオテープ（図示せず）の文字やデザインを外から視認することができる。
また、内ケース４１は、閉じた状態では、全体的に箱形状を呈している。そして、内ケース４１を開いた状態では、図１４に示すように、２個のケース部材５０、５１を有し、一方のケース部材５０の長辺がヒンジ５２を介して背部５３と一体的に形成されており、また、背部５３は、ヒンジ５４を介して他方のケース部材５１と一体的に形成されている。
即ち、ケース部材５０、５１同士は、ヒンジ部５２、５４を介して背部５３に各々折曲がり自在に一体的に形成されているのである。
【００３６】
ケース部材５０、５１は、各々長方形の側板５５と正面板５６と天板５７と底板５８とから構成されている。
各々の天板５７、５７の合わせ目となる所定位置には、嵌合孔５９、５９が形成されており、２個のケース部材５０、５１を合わせることにより、即ち内ケース４１を閉じることにより、一個の孔となる。
この嵌合孔５９、５９には、前述したように、外ケース４３の凸部４５、４５が挿入されて内ケース４１の保持状態を維持する。
更に、各々の天板５７、５７の背部５３側の端縁５７ａ、５７ａは、背部５３とやや隙間を開けて形成されており、その隙間が内ケース４１を閉じたときに一つの嵌合長孔６０となるように形成されている。
この嵌合長孔６０には、前述したように、外ケース４３の挿入片４６が挿入されて内ケース４１の保持状態を維持する。
【００３７】
内ケース４１を閉じた状態における正面板５６、５６の合わせ目となる所定位置には、前記閂部材１６の挿入される係合孔６１、６１が各々形成されている。
係合孔６１、６１は、各々対応する位置に形成されており、２個のケース部材５０、５１を合わせることにより、即ち内ケース４１を閉じることにより、一個の孔となる。
【００３８】
また、一方の正面板５６の内側には、Ｌ字状の係合レール部材６２が一体に形成されており、他方の正面板５６の内側位置には、前記係合レール部材６２と対応する位置に係合挿入部材６３が一体に形成されている。
そして、内ケース４１を閉じたときに、係合挿入部材６３が係合レール部材６２に挿入して係合することにより閉状態がロックできるのである。
【００３９】
更に、正面板５６、５６の外側の所定位置には、Ｌ字状のレール部材（内ケースレール部材）６４、６４が一体に形成されており、このＬ字状のレール部材６４、６４を前記外ケース４３のレール部材４８、４８に挿入することにより、内ケース４１が外ケース４３に係着されるのである。
このとき、内ケース４１の正面板５６、５６は、外ケース４３の垂下部４３ｂと面して位置することとなるので、内ケース４１を不正にこじ開けたりすることができない。
また、上部４３ａでは挿入片４６が嵌合長孔６０に挿入しているので、レール部材６４、６４、４８、４８同士の係着と相俟って、内ケース４１の保持状態が強固になり、内ケース４１を不正にこじ開けたりすることができない。
尚、図中符号６５は、レール部材６４、６４の下端部に設けられたストッパー段部を示す。
【００４０】
一方の底板５８には、案内レール部６６が一体に形成されており、他方の底板５８の端縁には、挿入凸部６７が形成されており、案内レール部６６と挿入凸部６７とは、各々対応する位置に形成されている。
この案内レール部６６と挿入凸部６７との存在により、内ケース４１を開閉するときに、両ケース部材５０、５１歪んだりせずに確実に開閉が可能となる。
【００４１】
次に、以上のように構成されたビデオテープ用防犯ケース４０の使用方法について説明する。
まず、内ケース４１を開いてケース部材５０、５１内にビデオテープ（図示せず）を収納してから、内ケース４１を閉じることによって、係合挿入部材６３が係合レール部材６２に挿入されて閉状態がロックされる。
【００４２】
そして、内ケース４１のレール部材６４、６４を外ケース４３のレール部４８、４８に挿入することにより、内ケース４１を外ケース４３に係着する。このとき、内ケース４１の嵌合孔５９、５９に外ケース４３の凸部４５、４５を挿入すると共に、嵌合長孔６０に挿入片４６を挿入して内ケース４１の保持状態を確実に維持する。
【００４３】
内ケース４１が外ケース４３に完全に装着されたら、前記第１及び第２実施例の場合と同様に、ロック装置１４の釦部１５を押してロックする。釦部１５を押すと、閂部材１６が突出して、内ケース４１の係合孔６１に挿入され、これによって、内ケース４１は外ケース４３とロックされ抜けなくなる。防犯用コイル１２は、装着された内ケース４１によって覆われることとなるので、外部から外すことはできない。
【００４４】
【発明の効果】
以上説明したように本発明に係るビデオテープ用防犯ケースは、検知装置の近傍を通過する事により警報を鳴らす事のできる防犯用コイルを備えたビデオテープ用防犯ケースにおいて、該ビデオテープ用防犯ケースは、ビデオテープを納める内ケースと、該内ケースが装着される外ケースとから成り、前記内ケースは、箱形状に形成され、天板に係合孔が形成されると共にレール部材が形成され、前記外ケースは、上部と、該上部の一端側から垂下する垂下部とからなると共に、一方の側面がＬ字状に形成され、前記上部には、ロック装置が設けられており、前記上部及び垂下部は、各々断面コ字状を呈して、該コ字状の対向する両端部が立ち上り突起をなすと共に、他方の側面には、三角形状の側面部が形成され、該側面部の内側に前記防犯用コイルが取り付けられており、前記上部の立ち上がり突起には、前記内ケースのレール部材と係合するレール部材を有し、前記外ケースに備えられた前記ロック装置を施錠操作する事により、ロック装置から内側に突出した閂部材が前記係合孔に挿入して、前記内ケースが前記外ケースに装着された状態がロックされることによって、施錠（ロック）操作は、ロック装置の釦部を押すだけでよく簡単である。また、解錠操作は、ロック装置を下にして所定の解除装置に載せるだけでよく、そのまま内ケースを持って外ケースから引き抜けば取り出せる。
従って、施錠（ロック）及び解錠操作が容易であり大量の商品を迅速に処理することができるという優れた効果を奏する。
また、外部から防犯用コイルを取り外すことができないので、万引きなどの不正行為を確実に防止でき、防犯性に優れているという優れた効果を奏する。
【００４５】
また、本発明に係るビデオテープ用防犯ケースは、検知装置の近傍を通過する事により警報を鳴らす事のできる防犯用コイルを備えたビデオテープ用防犯ケースにおいて、該ビデオテープ用防犯ケースは、ビデオテープを納める内ケースと、該内ケースが装着される外ケースとから成り、前記内ケースは、箱形状に形成され、天板に係合孔が形成されており、前記外ケースは、上部と、該上部の一端側から下方に延設された側部と、該側部の下端から横方向に延設された底部とからなると共に、一方の側面がコ字状に形成され、前記上部には、ロック装置が設けられており、前記上部、側部及び底部は、各々断面コ字状を呈して、該コ字状の対向する両端部が立ち上り突起をなすと共に、他方の側面には、三角形状の側面部が形成され、該側面部の内側に前記防犯用コイルが取り付けられており、前記外ケースに備えられた前記ロック装置を施錠操作する事により、ロック装置から内側に突出した閂部材が前記係合孔に挿入して、前記内ケースが前記外ケースに装着された状態がロックされることによって、施錠（ロック）操作は、ロック装置の釦部を押すだけでよく簡単である。また、解錠操作は、ロック装置を下にして所定の解除装置に載せるだけでよく、そのまま内ケースを持って外ケースから引き抜けば取り出せる。
従って、施錠（ロック）及び解錠操作が容易であり大量の商品を迅速に処理することができるという優れた効果を奏する。
また、外部から防犯用コイルを取り外すことができないので、万引きなどの不正行為を確実に防止でき、防犯性に優れているという優れた効果を奏する。
【００４６】
更に、本発明に係るビデオテープ用防犯ケースは、検知装置の近傍を通過する事により警報を鳴らす事のできる防犯用コイルを備えたビデオテープ用防犯ケースにおいて、該ビデオテープ用防犯ケースは、ビデオテープを納める内ケースと、該内ケースが装着される外ケースとから成り、前記内ケースは、箱形状に形成され、正面板に係合孔が形成されると共に内ケースレール部材が配設され、前記外ケースは、上部と、該上部の一端側から垂下する垂下部とからなると共に、一方の側面がＬ字状に形成され、他方の側面には三角形状の側面部が形成され、前記上部は、下面側に凹み部が形成され、該凹み部に前記防犯用コイルが取り付けられており、前記垂下部には、ロック装置が設けられると共に、前記内ケースレール部材と係合するレール部材が配設され、前記外ケースに備えられた前記ロック装置を施錠操作する事により、ロック装置から内側に突出した閂部材が前記係合孔に挿入して、前記内ケースが前記外ケースに装着された状態がロックされることによって、施錠（ロック）操作は、ロック装置の釦部を押すだけでよく簡単である。また、解錠操作は、ロック装置を下にして所定の解除装置に載せるだけでよく、そのまま内ケースを持って外ケースから引き抜けば取り出せる。
従って、施錠（ロック）及び解錠操作が容易であり大量の商品を迅速に処理することができるという優れた効果を奏する。
また、外部から防犯用コイルを取り外すことができないので、万引きなどの不正行為を確実に防止でき、防犯性に優れているという優れた効果を奏する。
【００４７】
前記ロック装置は、所定位置の両側に段部を有する出没可能な閂部材と該閂部材の両側に配設した着磁性金属板よりなる係止片とからなり、該係止片と没入した前記閂部材の段部とが係合することによりロック状態が維持されることによって、釦部を押すだけで施錠できるという優れた効果を奏する。
【図面の簡単な説明】
【図１】本発明の第１の実施例であるビデオテープ用防犯ケースの解錠状態を示す一部を切り欠た側面図である。
【図２】本発明の第１の実施例であるビデオテープ用防犯ケースの施錠状態を示す要部拡大断面図である。
【図３】（Ａ）本発明の第１の実施例であるビデオテープ用防犯ケースの内ケースの閉じた状態を示す正面図である。
（Ｂ）本発明の第１の実施例であるビデオテープ用防犯ケースの外ケースの解錠状態を示す正面図である。
【図４】本発明の第１の実施例であるビデオテープ用防犯ケースの内ケースの開いた状態を示す斜視図である。
【図５】本発明の第２の実施例であるビデオテープ用防犯ケースの外ケースの斜視図である。
【図６】本発明の第２の実施例であるビデオテープ用防犯ケースの内ケースの斜視図である。
【図７】本発明の第２の実施例であるビデオテープ用防犯ケースの内ケースの斜視図である。
【図８】本発明の第２の実施例であるビデオテープ用防犯ケースの内ケースの開いた状態を示す斜視図である。
【図９】本発明の第３の実施例であるビデオテープ用防犯ケースの斜視図である。
【図１０】本発明の第３の実施例であるビデオテープ用防犯ケースの外ケースの斜視図である。
【図１１】本発明の第３の実施例であるビデオテープ用防犯ケースの外ケースの側面図である。
【図１２】図１１のＡ−Ａ線断面図である。
【図１３】本発明の第３の実施例であるビデオテープ用防犯ケースの外ケースのレール部材を示す正面図である。
【図１４】本発明の第３の実施例であるビデオテープ用防犯ケースの内ケースの開いた状態を示す斜視図である。
【図１５】本発明の第３の実施例であるビデオテープ用防犯ケースの内ケースの平面図である。
【図１６】本発明の第３の実施例であるビデオテープ用防犯ケースの内ケースの正面図である。
【図１７】図１６のＢ−Ｂ線断面図である。
【符号の説明】
１０  ビデオテープ用防犯ケース
１１  内ケース
１２  防犯用コイル
１３  外ケース
１３ａ上部
１３ｂ垂下部
１３ｃ側面部
１４  ロック装置
１５  釦部
１６  閂部材
１６ａ段部
１７  係止片
１８  レール部材
１９  ケース部材
１９ａ側板
１９ｂ正面板
１９ｃ天板
１９ｄ底板
２０  ヒンジ
２１  ヒンジ
２２  背部
２３  レール部材
２４  係合孔
２５  係合凹部
２６  係合片
２７  内ケース
２７ａ開口部
２８  切欠き部
２９  係合孔
３０  内ケース
３１  開口部
３１ａ切欠き部
３２  内ケース
３３  ケース部材
３３ａ正面板
３３ｂ背面板
３３ｃ天板
３３ｄ側板
３４  底板
３５  ヒンジ
３６  ヒンジ
３７  係合孔
３８  外ケース
３８ａ上部
３８ｂ側部
３８ｃ底部
３９  立ち上り突起
３９ａ側面部
４０  ビデオテープ用防犯ケース
４１  内ケース
４３  外ケース
４３ａ上部
４３ｂ垂下部
４３ｃ側面部
４３ｄガイド部
４４  凹み部
４５  凸部
４６  挿入片
４７  段差部
４８  レール部材
５０  ケース部材
５１  ケース部材
５２  ヒンジ
５３  背部
５４  ヒンジ
５５  側板
５６  正面板
５７  天板
５７ａ端縁
５８  底板
５９  嵌合孔
６０  嵌合長孔
６１  係合孔
６２  係合レール部材
６３  係合挿入部材
６４  レール部材（内ケースレール部材）
６５  ストッパー段部
６６  案内レール部
６７  挿入凸部
【図１】
0003955693.tif 000002
【図２】
0003955693.tif 000003
【図３】
0003955693.tif 000004
【図４】
0003955693.tif 000005
【図５】
0003955693.tif 000006
【図６】
0003955693.tif 000007
【図７】
0003955693.tif 000008
【図８】
0003955693.tif 000009
【図９】
0003955693.tif 000010
【図１０】
0003955693.tif 000011
【図１１】
0003955693.tif 000012
【図１２】
0003955693.tif 000013
【図１３】
0003955693.tif 000014
【図１４】
0003955693.tif 000015
【図１５】
0003955693.tif 000016
【図１６】
0003955693.tif 000017
【図１７】
0003955693.tif 000018